(57)【特許請求の範囲】
【請求項１】
透液性の表面シートと裏面シートとの間に吸収体が介在されるとともに、表面側両側部に複数の折り畳み状態で表面側に起立する立体ギャザーが形成された吸収性物品において、
会陰部に対応する前記表面シートの上面側に、体液排出部側に開口するポケット空間を形成するためのポケットシートが設けられ、かつ前記ポケットシートに対し前記吸収性物品の幅方向中央部に長手方向に沿って弾性伸縮部材が配設され、
前記ポケットシートは、両側が前記立体ギャザーの複数の折返し面の内、最上段の折返し面に接合されるとともに、前記ポケットシートの後側中間部分は前記立体ギャザー間で前記表面シートに接合され、ポケットシートの後側において前記立体ギャザーの複数の折返し面の内、最下段の折り返し面を除く折り返し面が相互に接合されることによって前記立体ギャザーは断面直線状の起立状態とされていることを特徴とする吸収性物品。
【請求項２】
前記ポケットシートは、親水性不織布、撥水性不織布又はメッシュシートのいずれか又は組合せからなる請求項１記載の吸収性物品。
【請求項３】
前記ポケットシートは、外面側の撥水性不織布と内面側の親水性不織布との貼り合わせからなり、前記親水性不織布が前記撥水性不織布の前端縁を巻き込んで前記撥水性不織布の外面側まで延在して接合されている請求項１、２いずれかに記載の吸収性物品。
【請求項４】
前記ポケットシートには、吸収体を積層させてある請求項１〜３いずれかに記載の吸収性物品。
【請求項５】
前記立体ギャザーは、前記吸収性物品の側方側から中心側方向に延在したギャザー用不織布の中心側を三重以上に折り返して形成されている請求項１〜４いずれかに記載の吸収性物品。
【請求項６】
前記ポケットシートに配設される弾性伸縮部材は、前記吸収性物品の幅方向に蛇行して配設してある請求項１〜５いずれかに記載の吸収性物品。
【請求項７】
前記ポケットシートの後側に、体液排出部側に開口するポケット空間を形成するための第２のポケットシートが設けられている請求項１〜６いずれかに記載の吸収性物品。
【発明の詳細な説明】
【技術分野】
【０００１】
本発明は、経血やおりものなどを吸収するための生理用ナプキン、パンティーライナー、失禁パッド等の吸収性物品、詳しくは会陰部に対応する表面シートの上面側に、体液排出部側に開口するポケット空間を形成するためのポケットシートが設けられた吸収性物品に関する。
【背景技術】
【０００２】
従来より、パンティライナー、生理用ナプキン、失禁パッドなどの吸収性物品として、ポリエチレンシートまたはポリエチレンシートラミネート不織布などの不透液性裏面シートと、不織布または透液性プラスチックシートなどの透液性表面シートとの間に綿状パルプ等からなる吸収体を介在したものが知られている。
【０００３】
この種の吸収性物品にも幾多の改良が重ねられ、経血等の後漏れを防止するための手段が種々講じられている。例えば下記特許文献１では、図１１に示されるように、液透過性を有する表面シート５１、液不透過性を有する裏面シート５２、及び液保持性を有し表面シート５１及び裏面シート５２の間に介在し且つ防漏溝５３により表面シート５１と部分的に一体化した吸収体５４を備え、前記表面シート５１の両側部には、防漏壁５５が伸縮自在に設けられ、防漏壁５５は、表面シート５１の前方部から後方部に亘って配された基壁部と、表面シート５１に接近又は離間した状態で基壁部の上部を覆う帯状伸縮部５６とからなり、かつ前記表面シート５１の後方部に、帯状伸縮部５６に接合して表面シート５１との間に袋状空間を形成するための防漏シート５７が設けられた吸収性物品５０が開示されている。
【０００４】
しかしながら、下記特許文献１に記載される防漏シートの場合、防漏シート５７と表面シート５１との間に開口が形成された状態であれば、後方に流れる体液を確実に捕捉することができるけれども、防漏シート５７が身体に押されて潰れた状態になってしまうと、袋状空間の開口が閉鎖された状態となってしまい、体液が防漏シート５７の開口縁を越流してしまい、後漏れが生じてしまうなどの問題があった。このため、下記特許文献２では、吸収性物品の後側部において、透液性表面シートの上面側に体液排出部側に開口するポケット空間を形成するためのポケットシートが設けられ、かつ前記ポケットシートに対し前記ポケット空間を開口させるための開口用弾性伸縮部材が設けられた吸収性物品が開示されている。
【先行技術文献】
【特許文献】
【０００５】
【特許文献１】特開２００４−３３７３１４号公報
【特許文献２】特開２００７−１４３６９６号公報
【特許文献３】特開２００６−１４９７９８号公報
【発明の概要】
【発明が解決しようとする課題】
【０００６】
しかしながら、上記特許文献２記載の吸収性物品は、吸収性物品の後端部における経血等の後漏れを防止することを目的として、経血等を捕捉するポケット空間が吸収性物品の後端部に形成されるものであるため、経血等が排血口部から臀部を伝って後側に拡散することによる使用者の後漏れの不安を防止できるまでには至っていなかった。
【０００７】
ところで、経血等の後漏れをより確実に防止するとともに、使用者に後漏れの不安を生じさせないようにするには、体液排出部の経血等をできる限り後側に伝えないようにすることが重要となる。ここで、身体の構造として膣口から肛門付近にかけての小さな窪み状の立体形状を成す会陰部が存在しているため、後側に経血等を拡散させないためには、この会陰部で確実に経血等を捕捉することが必要となる。
【０００８】
そこで、会陰部と吸収性物品表面との密着性を高めるため、会陰部の窪みに対応して膨出する吸収体の中高部を設けるなど、吸収体を立体的に形成した吸収性物品が提案されている（特許文献３等）。
【０００９】
ところが、前記会陰部は実際には前後に細長い隙間状であるため、立体的に形成した吸収体部分では、この細長い隙間の奥までフィットさせることが難しく、この細長い隙間の深部を伝って少量の経血等が後側に漏れるのを完全に防止できるまでには至っていなかった。
【００１０】
また、剛性の高い吸収体では身体の動きに柔軟に変形できないため、肌との密着性が損なわれて身体との間に隙間が生じることにより、経血等が後側に大量に拡散し、後漏れを引き起こす場合があった。
【００１１】
さらには、吸収体を立体的形状に形成すると吸収性物品が肉厚となり、装着感が損なわれていた。
【００１２】
そこで本発明の主たる課題は、会陰部の細い隙間にフィットさせ、後漏れを確実に防止するとともに、装着感を向上させた吸収性物品を提供することにある。
【課題を解決するための手段】
【００１３】
上記課題を解決するために請求項１に係る本発明として、透液性の表面シートと裏面シートとの間に吸収体が介在されるとともに、表面側両側部に複数の折り畳み状態で表面側に起立する立体ギャザーが形成された吸収性物品において、
会陰部に対応する前記表面シートの上面側に、体液排出部側に開口するポケット空間を形成するためのポケットシートが設けられ、かつ前記ポケットシートに対し前記吸収性物品の幅方向中央部に長手方向に沿って弾性伸縮部材が配設され、
前記ポケットシートは、両側が前記立体ギャザーの複数の折返し面の内、最上段の折返し面に接合されるとともに、前記ポケットシートの後側中間部分は前記立体ギャザー間で前記表面シートに接合され、ポケットシートの後側において前記立体ギャザーの複数の折返し面の内、最下段の折り返し面を除く折り返し面が相互に接合されることによって前記立体ギャザーは断面直線状の起立状態とされていることを特徴とする吸収性物品が提供される。
【００１４】
上記請求項１記載の発明では、会陰部に対応する表面シートの上面側に、体液排出部側に開口するポケット空間を形成するためのポケットシートを設け、かつ前記ポケットシートに対し吸収性物品の幅方向中央部に長手方向に沿って弾性伸縮部材を配設してあるため、前記弾性伸縮部材の収縮作用により前記ポケットシートが幅方向中央部を頂点とするとして吸収性物品の表面から山形に起立した状態に維持されるとともに、この山形の先端部が会陰部の細長い隙間に入り込み会陰部に完全にフィットする。従って、体液排出部から後側に肌を伝う経血等は、この会陰部に完全にフィットしたポケットシートによってポケット空間内に捕捉・吸収され、会陰部より後側に拡散することが無くなる。このため、使用者に後漏れの不安を生じさせないことはもとより、経血等の後漏れを確実に防止できるようになる。また、ポケットシートの中央部を会陰部の隙間に入り込ませているため、ポケットシートが身体の動きに柔軟に変形し、肌との密着性を保つことができる。
【００１５】
さらに、吸収体の中高部を設けるなど吸収体を立体的形状にする必要がなくなるため、吸収性物品を薄型化でき、装着感が向上できる。
【００１６】
また、上記請求項１記載の発明は、表面側両側部に表面側に起立する立体ギャザーが形成された吸収性物品に対して前記ポケットシートを設ける場合であり、前記ポケットシートの両側を立体ギャザーの複数の折返し面の内、最上段の折返し面に接合するとともに、ポケットシートの後側中間部分は前記立体ギャザー間で表面シートに接合するようにしたものである。これにより、立体ギャザーから連続して前記ポケット空間が形成されるようになり、ポケットシートがより高く表面側に起立するため、確実に会陰部の細長い隙間にフィットさせることができるようになる。
【００１７】
更に、ポケットシートの後側において前記立体ギャザーの複数の折返し面の内、最下段の折り返し面を除く折り返し面が相互に接合されることによって前記立体ギャザーは断面直線状の起立状態とされている。従って、ポケットシート後側の表面を臀部の丸みに沿ってフィットさせることができるようになる。
【００１８】
請求項２に係る本発明として、前記ポケットシートは、親水性不織布、撥水性不織布又はメッシュシートのいずれか又は組合せからなる請求項１記載の吸収性物品が提供される。
【００１９】
上記請求項２記載の発明では、前記ポケットシートとして、親水性不織布、撥水性不織布又はメッシュシートのいずれか又は組合せから構成することにより、例えば、前記親水性不織布で構成した場合にはポケットシート自体が身体を伝う経血等を吸収でき、前記撥水性不織布で構成した場合には外面側を伝う経血等をはじくためべた付きが起こりにくく、前記メッシュシートで構成した場合には経血等が透過しやすいためべた付きが起こりにくくなる。
【００２０】
請求項３に係る本発明として、前記ポケットシートは、外面側の撥水性不織布と内面側の親水性不織布との貼り合わせからなり、前記親水性不織布が前記撥水性不織布の前端縁を巻き込んで前記撥水性不織布の外面側まで延在して接合されている請求項１、２いずれかに記載の吸収性物品が提供される。
【００２１】
上記請求項３記載の発明では、前記ポケットシートとして、外面側の撥水性不織布と内面側の親水性不織布との貼り合わせからなるものとし、前記親水性不織布を前記撥水性不織布の前端縁を巻き込んで撥水性不織布の外面側まで延在して接合することにより、ポケットシートの前端縁部において身体を伝う経血等を吸収するとともに、この前端縁部に吸収された経血等を内面側の親水性不織布の親水作用によりポケット空間内に誘導することが可能となる。従って、会陰部で確実に経血等が捕捉・吸収されるとともに、ポケットシート外面のべた付きが防止できる。
【００２２】
請求項４に係る本発明として、前記ポケットシートには、吸収体を積層させてある請求項１〜３いずれかに記載の吸収性物品が提供される。
【００２３】
上記請求項４記載の発明は、ポケットシートに吸収体を積層させて体液吸収効果を持たせることにより、会陰部においてより確実に体液を吸収し、後側に拡散するのを防止したものである。
【００２４】
請求項５に係る本発明として、前記立体ギャザーは、前記吸収性物品の側方側から中心側方向に延在したギャザー用不織布の中心側を三重以上に折り返して形成されている請求項１〜４いずれかに記載の吸収性物品が提供される。
【００２５】
上記請求項５記載の発明は、ポケットシートをより高く起立させるため、吸収性物品の中心側方向に延在したギャザー用不織布の中心側を三重以上に折り返して四つ折りとした立体ギャザーを形成したものである。
【００２６】
請求項６に係る本発明として、前記ポケットシートに配設される弾性伸縮部材は、前記吸収性物品の幅方向に蛇行して配設してある請求項１〜５いずれかに記載の吸収性物品が提供される。
【００２７】
上記請求項６記載の発明では、前記ポケットシートに配設する弾性伸縮部材を、吸収性物品の幅方向に蛇行して配設することにより、ポケットシートに幅方向中央部に向かう収縮力を付与することができ、ポケットシートの幅方向中央部をより確実に表面側に起立させることができるようになり、会陰部の細長い隙間により完全にフィットさせることができるようになる。
【００２８】
請求項７に係る本発明として、前記ポケットシートの後側に、体液排出部側に開口するポケット空間を形成するための第２のポケットシートが設けられている請求項１〜６いずれかに記載の吸収性物品が提供される。
【００２９】
上記請求項７記載の発明では、前記ポケットシートの後側に、体液排出部側に開口するポケット空間を形成するための第２のポケットシートを設けることにより、万一前側のポケットシートを越流して後側に体液が拡散した場合でも、前記第２のポケットシートに捕捉されるため後漏れが防止できるようになる。
【発明の効果】
【００３０】
以上詳説のとおり本発明によれば、会陰部の細い隙間にフィットさせ、後漏れを確実に防止するとともに、装着感を向上させた吸収性物品が提供できるようになる。
【図面の簡単な説明】
【００３１】
【図１】本発明に係る生理用ナプキン１の一部破断展開図である。
【図２】そのII−II線矢視図である。
【図３】図１のIII−III線矢視図である。
【図４】図１のIV−IV線矢視図である。
【図５】図１のV−V線矢視図である。
【図６】他の形態（その１）に係る図１のV−V線矢視図である。
【図７】他の形態（その２）に係る図１のV−V線矢視図である。
【図８】他の形態に係る図１のII−II線矢視図である。
【図９】他の形態に係る図１のIII−III線矢視図である。
【図１０】他の形態に係る生理用ナプキン１の展開図である。
【図１１】従来の吸収性物品５０の展開図である。
【発明を実施するための形態】
【００３２】
以下、本発明の実施の形態について図面を参照しながら詳述する。
前記生理用ナプキン１は、ポリエチレンシートなどからなる不透液性の裏面シート２と、経血やおりものなどを速やかに透過させる透液性の表面シート３と、これら両シート２，３間に介装された綿状パルプまたは合成パルプなどからなる吸収体４と、この吸収体４の形状保持および拡散性向上のために前記吸収体４を囲繞するクレープ紙５と、体液排出部位Ｈを含む所定の長手方向範囲において左右一対の前部側立体ギャザーＢＳ１を形成するとともに、お尻側部位において左右一対の後部側立体ギャザーＢＳ２を形成する立体ギャザーＢＳ、ＢＳとから主に構成され、かつ前記吸収体４の周囲においては、その上下端縁部では前記不透液性裏面シート２と透液性表面シート３との外縁部がホットメルトなどの接着剤やヒートシール等の接着手段によって接合され、またその両側縁部では吸収体４よりも側方に延出している前記不透液性裏面シート２と、サイド不織布７とがホットメルトなどの接着剤やヒートシール等の接着手段によって接合され、これら不透液性裏面シート２とサイド不織布７とによる積層シート部分によって側方に突出するウイング状フラップＷ、Ｗが形成されているとともに、これよりも臀部側に位置する部分に第２ウイング状フラップＷＢ、ＷＢが形成されている。
【００３３】
以下、さらに前記生理用ナプキン１の構造について詳述すると、
前記不透液性裏面シート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記不透液性裏面シート２の非使用面側（外面）には１または複数条の粘着剤層（図示せず）が形成され、身体への装着時に生理用ナプキン１を下着に固定するようになっている。前記不透液性裏面シート２としては、プラスチックフィルムと不織布とを積層させたポリラミ不織布を用いてもよい。
【００３４】
次いで、前記透液性表面シート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。前記透液性表面シート３に多数の透孔を形成した場合には、経血やおりもの等（以下、まとめて体液という。）が速やかに吸収されるようになり、ドライタッチ性に優れたものとなる。
【００３５】
前記不透液性裏面シート２と透液性表面シート３との間に介在される吸収体４は、たとえばフラッフ状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。本例のように、吸収体４を囲繞するクレープ紙５を設ける場合には、結果的に透液性表面シート３と吸収体４との間にクレープ紙５が介在することになり、吸収性に優れる前記クレープ紙５によって体液を速やかに拡散させるとともに、これら経血等の逆戻りを防止するようになる。
【００３６】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記合成繊維は、体液に対する親和性を有するように、疎水性繊維の場合には親水化剤によって表面処理したものを用いるのが望ましい。
【００３７】
本生理用ナプキン１の表面には、前記透液性表面シート３の表面側からナプキン１の長手方向に細長く圧搾溝８が形成されている。前記圧搾溝８は、図示例のように周方向に閉合するナプキン長手方向に細長く形成することが好ましい。このとき前記圧搾溝８は、後段で詳述するポケットシート１２の貼着工程より前段の工程で形成してポケットシート１２の下側に設けることにより、両脚を閉じて股間幅が狭くなったときに圧搾溝８を可撓軸として変形させる効果を有するため好ましい。なお、ポケットシート１２の配設区間及びその近傍には圧搾溝８を設けないことも可能である。また、前記圧搾溝８の前端部８ａの前側には、間を空けて前端部に結合する半円弧状の圧搾溝８ｂが形成され、前記前端部圧搾溝８ａとで三日月形状の貯留ポケットが形成されている。その結果、ナプキン１の前端部を船先状に屈曲させ肌に密着させるとともに、体液が前端部側に流出したとしても、貯留部となって体液の流出を阻止するようになっている。一方、ナプキン１の後端部には、複合半円弧状の圧搾溝８ｃが独立して形成され、体液が後部側に流出したとしても貯留部となって体液の流出を阻止するようになっている。なお、前記圧搾溝８、８ａ、８ｂ、８ｃは、熱及び／又は圧力によるエンボッシングや、超音波、またはその組合せ等、任意の手段によって付与することが可能である。
【００３８】
前記透液性表面シート３の幅寸法は、図示例では、図２〜図４の横断面図に示されるように、吸収体４の幅よりも若干長めとされ、吸収体４を覆うだけに止まり、前記立体ギャザーＢＳ、ＢＳは前記透液性表面シート３とは別の立体ギャザー形成用不織布６によって形成され、立体ギャザーＢＳ、ＢＳの外側には、前記不透液性裏面シート２の表面側にサイド不織布７が積層されている。これら立体ギャザー形成用不織布６及びサイド不織布７は、経血やおりもの等が浸透するのを防止する、あるいは肌触り感を高めるなどの目的に応じて、適宜の撥水処理または親水処理を施した不織布素材を用いて構成されている。かかる不織布６，７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１３〜２３g/m２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００３９】
前記サイド不織布７は、図２および図３に示されるように、不透液性裏面シート２の外縁までの範囲に亘ってホットメルトなどの接着剤によって接着し、これら前記サイド不織布７と不透液性裏面シート２との積層シート部分により、ほぼ体液排出部に相当する吸収体側部位置に左右一対のウイングフラップＷ、Ｗを形成するとともに、これより臀部側位置に第２ウイング状フラップＷＢ、ＷＢを形成している。これらウイング状フラップＷ、Ｗおよび第２ウイング状フラップＷＢ、ＷＢの外面側にはそれぞれ粘着剤層１０…，１１…を備え、ショーツに対する装着時に、前記ウイング状フラップＷ、Ｗが折返し線ＲＬ位置にて反対側に折り返し、ショーツのクロッチ部分に巻き付けて止着するようになっている。前記サイド不織布７は、前記立体ギャザー形成用不織布６を生理用ナプキン１の側縁まで延在させた場合には不要である（図８参照）。
【００４０】
（立体ギャザーＢＳについて）
前記立体ギャザーＢＳを構成する立体ギャザー形成用不織布６は、二重に折り返されたシートが用いられ、この二重シート内部の所定位置に、その高さ方向中間部に両端または長手方向の適宜の位置が固定された複数条の糸状弾性伸縮部材２１…、２２…が配設され、体液排出部位Ｈを含む所定の長手方向範囲において、図２に示されるように、左右一対の前部側立体ギャザーＢＳ１を形成するとともに、それよりもお尻側部位においては、図３に示されるように、左右一対の後部側立体ギャザーＢＳ２を形成するようになっている。
【００４１】
前記立体ギャザーＢＳとしては、図２〜図４に示されるように、折り畳み状態で、ナプキン１の側方側から中心側方向に延在した立体ギャザー形成用不織布６が中心側位置で側方側に折り返される第１折返し部３２と、この第１折返し部３２に連続して側方側位置で中心側方向に折り返される第２折返し部３３と、この第２折返し部３３に連続して中心側位置で側方側に折り返される第３折返し部３４とによって三重に折り返された四つ折りとされ、下層側から順に第１折返し面３５、第２折返し面３６、第３折返し面３７及び第４折返し面３８を有するものとすることができる。なお、後段で説明するように、立体ギャザー形成用不織布６を二重に折り返し、三つ折りの折り畳み状態とすることもできる（図８参照）。
【００４２】
そして、同図２及び図３に示されるように、前記第２折返し部３３は、前記第４折返し面３８の外方側端縁３１ａよりも外側に位置するようにし、前記第４折返し面３８の外方側端縁３１ａよりも外側位置で前記第２折返し面３６が使用面側に接合されるようになっている。なお、図示例では、サイド不織布７が第１折返し面３５の外面側の中間部分にまで延在しているため、前記第２折返し面は、サイド不織布７の上面に対して接合されるようになっているが、サイド不織布７がこの接合部位まで延在しない場合には、前記第１折返し面３５に対して接合すればよい。
【００４３】
前記ナプキン１の体液排出部位Ｈを含む所定の長手方向範囲に形成された前部側立体ギャザーＢＳ１は、図２に示されるように、前記第２折返し面３６の内、相対的に内側部分が長手方向に亘って使用面側に接合され、その他の折返し面同士は非接合とされ、前記吸収体４の側縁部又はその近傍から起立する側面起立部３０と、この側面起立部３０の先端から連続して形成されるとともに、前記ナプキン１の表面に対して略水平又は中心側に傾斜して形成される所定幅の前記第４折り返し面３８とを有し、前記側面起立部３０が前記第４折り返し面３８の外方側端縁より外側に位置した状態で起立している。前記側面起立部３０及び第４折り返し面３８には、それぞれ、生理用ナプキン１の長手方向に沿って、１又は複数本の、図示例では各３本づつ糸状弾性伸縮部材２１…、２２…が配設されている。
【００４４】
一方、前記ナプキン１のお尻側部位に形成された後部側立体ギャザーＢＳ２は、図３に示されるように、前記第１折返し面３５と第２折返し面３６とが非接合とされ、かつ前記第２折返し面３６と第３折返し面３７とが接合されるとともに、前記第３折返し面３７と第４折返し面３８とが接合され、前記第１折返し部３２を起立点として外側方向に向けて直線傾斜状に起立するようになっている。
【００４５】
なお、前記前部側立体ギャザーＢＳ１よりも前側及び前記後部側立体ギャザーＢＳ２よりも後側においては、図４に示されるように、第１折返し面３５、第２折返し面３６、第３折返し面３７及び第４折返し面３８のすべての面が接着され、折り畳まれた状態となっている。
【００４６】
このように、本生理用ナプキン１では、体液排出部位Ｈを含む所定の長手方向範囲においては、立体ギャザーの第４折返し面３８が装着者の股間部に密着するように起立し、お尻側部分では直線傾斜状に起立した立体ギャザーが臀部の丸みに沿って密着するようになるため、長手方向に亘り設けられた左右一対の立体ギャザーＢＳ、ＢＳによって、それぞれの部位の身体形状に合ったフィット性の高い立体ギャザーを形成することが可能となる。
【００４７】
（ポケットシート１２について）
本生理用ナプキン１には、図１に示されるように、着用者の会陰部に対応する透液性表面シート３の上面側に、体液排出部Ｈ側に開口するポケット空間を形成するためのポケットシート１２が設けられ、かつ前記ポケットシート１２に対し生理用ナプキン１の幅方向中央部に長手方向に沿って弾性伸縮部材１３が配設されている。
【００４８】
このため、前記ポケットシート１２は、図２に示されるように、前記弾性伸縮部材１３の収縮作用により幅方向中央部を頂点とする山形に起立した状態に維持されるとともに、この山形の起立先端部が、膣口から肛門付近にかけて小さな窪み状の立体形状を成し前後方向に細長い隙間状を成す会陰部の隙間の奥まで完全にフィットするようになる。従って、体液排出部から後側に伝う体液は、この会陰部に完全にフィットしたポケットシート１２によってポケット空間Ｐ内に捕捉・吸収され、会陰部より後側に拡散することが無くなるため、使用者に後漏れの不安を生じさせないことはもとより、体液の後漏れを確実に防止できるようになる。また、生理用ナプキン１の表面から山形に起立したシートの幅方向中央部が会陰部の隙間に入り込むため、身体の動きに柔軟に変形でき、肌との密着性を保つことができる。
【００４９】
また、前記ポケットシート１２が設けられることにより、吸収体の中高部を設けるなど吸収体を立体的形状にする必要がなくなるため、生理用ナプキン１を薄型化することができ、生理用ナプキン１の装着感が向上する。
【００５０】
かかるポケットシート１２は、体液排出部側に開口するポケット空間が形成されるように両側部１２ａ、１２ａ及び後側部１２ｂがそれぞれナプキン表面に接着されていればよい。前記立体ギャザーＢＳが形成される本生理用ナプキン１においては、前記ポケットシート１２は、図２に示されるように、両側部１２ａ、１２ａをそれぞれ立体ギャザーＢＳ１の上面に接合し、後側部１２ｂを表面シート３及び立体ギャザーＢＳ２の表面側に接合するようにすることが望ましい。このため前記ポケットシート１２は、図示例では前記第４折り返し面３８の外方側端縁３１ａとほぼ一致する幅方向寸法で形成することが望ましい。これにより、ポケットシート１２によるポケット空間Ｐは、両側の立体ギャザーＢＳ１の起立先端部から連続する高い開口が形成されるようになり、肌との密着性を高めることができる。また、両側の立体ギャザーＢＳから連続的に設けることにより、ポケットシート１２がさらに柔軟に変形するようになり、肌との密着性をより高めることができる。
【００５１】
前記立体ギャザーＢＳは、前記後側部１２ｂの接合領域を含む近傍部分より後側の所定領域が前記後側部立体ギャザーＢＳ２の起立状態とされ、それより前側の所定領域が前記前側部立体ギャザーＢＳ１の起立状態とされることが好ましい。これにより、立体ギャザーＢＳの起立状態に合わせて体液排出部Ｈ側に開口するポケット空間が形成されるようになる。前記前側部立体ギャザーＢＳ１と後側部立体ギャザーＢＳ２との変換点は、後側部１２ｂの接合領域より前側であることが好ましいが、これより後側とすることもできる。
【００５２】
前記ポケットシート１２は、図５に示されるように、前端部で二重に折り返した貼り合わせシート材によって形成され、その層間に前記弾性伸縮部材１３が伸張状態で接合されている。前記ポケットシート１２は、一重のシート材によって形成しても良く、この場合は、前記弾性伸縮部材１３はポケットシート１２の内面側に介在させるようにする。具体的には、ポケットシート１２の中央部分に小幅の折り畳み部分を形成し、この折り畳み部分の間に弾性伸縮部材１３を介在させた状態で対向面同士をホットメルト接着剤によって接着することにより配設する態様などとすることができる。
【００５３】
前記ポケットシート１２の素材としては、親水性不織布、撥水性不織布又はメッシュシートのいずれか又は組合せからなるものを使用することができる。前記親水性不織布を使用した場合、保水機能を有するためべた付きが起こる欠点があるが、身体を伝う微量の体液であればシート自体に吸収でき、後側への体液の拡散を防止できる。前記撥水性不織布を使用した場合、体液がポケットシート１２の外面側に越流したときに吸収機能が無いため後側へ拡散し易いという欠点があるが、体液をはじくためべた付きが起こりにくく、装着感に優れるという利点がある。なお、撥水性不織布に複数の開孔を設けることにより外面側の体液をポケット空間内に透過させることができ、前記欠点を解決できる。前記メッシュシートを使用した場合、一般に硬い材質であるためビニール感を生じさせるが、体液が外面側に越流した場合でもポケット空間内に素早く透過してべた付きが起こりにくく、装着感に優れるという利点がある。
【００５４】
また、前記ポケットシート１２の組合せ例としては、図６に示されるように、外面側の撥水性不織布１２ｃと内面側の親水性不織布１２ｄとの貼り合わせからなり、前記親水性不織布１２ｄが撥水性不織布１２ｃの前端縁を巻き込んで撥水性不織布１２ｃの外面側まで延在して接合されるものとすることができる。ポケットシート１２の前端縁を巻き込むようにに親水性不織布１２ｄを配設することにより、この前端縁部において身体を伝う体液を親水性不織布１２ｄに吸収できるとともに、親水性不織布１２ｄの親水作用によりこの前端縁部に吸収された体液をポケット空間内に誘導できる。このため、会陰部で体液が確実に捕捉・吸収されるとともに、ポケットシート１２の外面側への体液の拡散が生じないため、外面側のべた付きが防止できる。
【００５５】
前記ポケットシート１２には、図７に示されるように、吸収体１４を積層させることができる。図示例では二重に貼り合わされたシートの層間に吸収体１４を介在してあるが、少なくとも吸収体１４の外面側にシート材が配設されていればよい。外面側に配設されるシート材は、透液性を有するもの、具体的には親水性不織布やメッシュシートからなる素材のものを使用する。前記吸収体１４としては、嵩を小さくできるエアレイド吸収体を薄型のシート状としたものを用いるのが好ましい。また、弾性伸縮部材１３は、外面側シート材と吸収体１４との層間に設けることが好ましい。
【００５６】
前記弾性伸縮部材１３は、本形態例ではポケットシート１２の幅方向中央に１条配置としたが、幅方向に間隔をおいて複数条配設するようにしても良い。
【００５７】
ところで、前記立体ギャザーＢＳは、上述の三重に折り返された四つ折りのもの（図２等）に代えて、図８に示されるように、ナプキン１の横断面に対して、折り畳み状態で、ナプキン１の側方側から中心側方向に延在したシートが中心側位置で側方側に折り返される第１折り返し部３２と、この第１折り返し部３２に連続して側方側位置で中心側方向に折り返される第２折り返し部３３とによって二重に折り返された三つ折りとされ、下層側から順に第１折り返し面３５、第２折り返し面３６及び第３折り返し面３７を有するものとすることができる。かかる立体ギャザーＢＳにおいて、前記ポケットシート１２は、両側がほぼ前記第２折り返し部３３に一致する外形線で形成されたものを使用し、前記ポケットシート１２の両側部１２ａ、１２ａを立体ギャザーＢＳの前記第３折り返し面３７の外面側に接合される。
【００５８】
一方、ポケットシート１２後側の所定区間においては、図９に示されるように、前記立体ギャザーＢＳを構成する立体ギャザー形成用不織布６の第１折り返し面３５と第２折り返し面３６とを接合することによって非起立状態としてもよい。この区間を非起立状態とすることにより、ポケットシート１２の後側で両側部がナプキン表面と平行になり、ポケット空間がきっちり形成されるようになる。なお、この非起立状態は、前記ポケットシート１２の後側からナプキン後端部にかけて形成することもできる。
【００５９】
他方で、前記ポケットシート１２に配設される弾性伸縮部材１３は、図１０に示されるように、生理用ナプキン１の幅方向に蛇行して設けることができる。これにより、ポケットシート１２には、生理用ナプキン１の長手方向に沿う収縮力に加えて、幅方向中央部に向かう収縮力が付与され、ポケットシート１２の幅方向中央部をより確実に表面側に起立させることができる。このため、ポケットシート１２を会陰部の細長い隙間により確実にフィットさせることができるようになる。弾性伸縮部材１３の蛇行幅Ｄは、８ｍｍ〜２０ｍｍ程度とするのが好ましい。
【００６０】
また、同図１０に示されるように、前記ポケットシート１２の後側に、体液排出部Ｈ側に開口するポケット空間を形成するための第２ポケットシート１５を設けることができる。前記第２ポケットシート１５には、前記ポケットシート１２と同様に、生理用ナプキン１の幅方向中央部に長手方向に沿って弾性伸縮部材１６が配設されている。これにより、万一前側のポケットシート１２を越流する体液があった場合でも、前記第２ポケットシート１５により捕捉・吸収することができ、後漏れが防止できるようになる。前記第２ポケットシート１５は生理用ナプキン１の後端部に設けてもよく、またポケットシート１２の後側に複数のポケットシートを設けてもよい。前記第２ポケットシート１５を設ける場合も、前述の通りポケットシート１２、１５の下側に圧搾溝８が形成されることが好ましく、ポケットシート１２、１５の配設区間及びその近傍は圧搾溝８の不連続区間とすることも可能である。
【符号の説明】
【００６１】
１…生理用ナプキン、２…不透液性裏面シート、３…透液性表面シート、４…吸収体、５…クレープ紙、６…立体ギャザー形成用不織布、７…サイド不織布、８…圧搾溝、１０・１１…粘着剤層、１２…ポケットシート、１３…弾性伸縮部材、１４…吸収体、１５…第２ポケットシート、１６…弾性伸縮部材、３０…側面起立部、３１ａ…外方側端縁、３２…第１折返し部、３３…第２折返し部、３４…第３折返し部、３５…第１折返し面、３６…第２折返し面、３７…第３折返し面、３８…第４折返し面、ＢＳ…立体ギャザー、ＢＳ１…前部側立体ギャザー、ＢＳ２…後部側立体ギャザー、Ｐ…ポケット空間、Ｗ…ウイング状フラップ、ＷＢ…第２ウイング状フラップ
【図１】
0005562681.tif 000002
【図２】
0005562681.tif 000003
【図３】
0005562681.tif 000004
【図４】
0005562681.tif 000005
【図５】
0005562681.tif 000006
【図６】
0005562681.tif 000007
【図７】
0005562681.tif 000008
【図８】
0005562681.tif 000009
【図９】
0005562681.tif 000010
【図１０】
0005562681.tif 000011
【図１１】
0005562681.tif 000012